(57)【要約】【課題】給電対象となる外部機器に適切な給電量で無線給電することが可能になる給電処理装置を提供する。【解決手段】電子下敷12Aから所定周期でACK待ちの無線給電と共に問合せ(ENQ)が送信された際、無線給電及び問合せ(ENQ)の受信された電子ペーパ11Aにおいて、表示更新を要求するユーザ入力に応じて、そのペーパID、入力要求を含む応答(ACK)が生成され電子下敷12Aへ送信されると、電子下敷12Aは、受信された応答(ACK)に含まれるペーパIDが認証済みのペーパIDであるか判断する。認証済みペーパIDであると判断されると前記入力要求に応じた表示データが取得され、この表示データを電子ペーパ11Aで受信して表示させるのに必要な給電量(給電時間)が設定され、設定給電量(又は時間)の無線給電と共に前記取得された表示データが電子ペーパ11Aへ送信されその不揮発性表示装置に表示される。【選択図】図１１
2015033157.tif 000002
【特許請求の範囲】
【請求項１】
外部機器に対して無線給電を行う無線給電部を有する給電処理装置であって、
前記無線給電部からの無線給電が可能な位置にある複数の外部機器のうち、給電を必要とする外部機器を特定する外部機器特定手段と、
この外部機器特定手段により特定された外部機器がその動作に必要とする給電量を設定する給電量設定手段と、
この給電量設定手段により設定された給電量で前記無線給電部に無線給電を行わせる給電制御手段と、
を備えたことを特徴とする給電処理装置。
【請求項２】
前記外部機器特定手段は、
所定周期で下り問合せ信号を送信する下り問合せ信号送信手段と、
この下り問合せ信号送信手段により下り問合せ信号を送信した後に、前記外部機器により送信された上り応答信号を受信する上り応答信号受信手段とを有し、
この上り応答信号受信手段により上り応答信号が受信された際に、当該上り応答信号の送信元の外部機器を、給電を必要とする外部機器として特定する、
ことを特徴とする請求項１に記載の給電処理装置。
【請求項３】
前記外部機器特定手段は、さらに、
前記上り応答信号受信手段により上り応答信号が受信された際に、当該上り応答信号の送信元の外部機器が予め認証された外部機器であるか否かを判断する第１の認証判断手段を有し、
この第１の認証判断手段により予め認証された外部機器であると判断された外部機器を、給電を必要とする外部機器として特定する、
ことを特徴とする請求項２に記載の給電処理装置。
【請求項４】
前記外部機器は、不揮発性表示部と、ユーザ操作に応じて表示の更新を要求するためのキー入力部とを有する電子ペーパであって、
この電子ペーパは、前記下り問合せ信号送信手段により送信された下り問合せ信号を受信する下り問合せ信号受信手段と、この下り問合せ信号受信手段により下り問合せ信号が受信された際、前記キー入力部のユーザ操作に応じて表示の更新が要求された場合に、当該表示の更新の要求内容を含む上り応答信号を送信する上り応答信号送信手段とを有する、
ことを特徴とする請求項２または請求項３に記載の給電処理装置。
【請求項５】
前記給電量設定手段は、
前記外部機器特定手段により特定された外部機器が当該給電処理装置との間でのデータ通信動作に必要とする給電量を設定する、
ことを特徴とする請求項１に記載の給電処理装置。
【請求項６】
前記データ通信動作に必要とする給電量は、当該データ通信の対象となるデータの量に応じて設定する、
ことを特徴とする請求項５に記載の給電処理装置。
【請求項７】
前記外部機器は、不揮発性表示部を有する電子ペーパであって、
当該給電処理装置は、さらに、前記外部機器特定手段により特定された電子ペーパに対して表示データを送信する表示データ送信手段を備え、
前記データ通信動作に必要とする給電量は、前記表示データ送信手段による前記電子ペーパに対しての送信の対象となる表示データの量に応じて設定する、
ことを特徴とする請求項６に記載の給電処理装置。
【請求項８】
前記表示データ送信手段は、
前記外部機器特定手段により特定された電子ペーパに対して表示データを当該電子ペーパの側で復号化可能に暗号化して送信する、
ことを特徴とする請求項７に記載の給電処理装置。
【請求項９】
前記電子ペーパが載せられる下敷構造部を有し、この下敷構造部に載せられた電子ペーパ上でのユーザ操作に応じた手書き位置を検出する手書き位置検出手段を備え、
前記表示データ送信手段は、
前記手書き位置検出手段により検出された前記電子ペーパ上での手書き位置の軌跡に応じた手書きデータを前記外部機器特定手段により特定された電子ペーパに対して送信する手書きデータ送信手段を有する、
ことを特徴とする請求項７に記載の給電処理装置。
【請求項１０】
前記外部機器特定手段は、
前記外部機器により送信された上り問合せ信号を受信する上り問合せ信号受信手段と、
この上り問合せ信号受信手段により上り問合せ信号が受信された際に、当該上り問合せ信号の送信元の外部機器が予め認証された外部機器であるか否かを判断する第２の認証判断手段とを有し、
この第２の認証判断手段により予め認証された外部機器であると判断された外部機器を、給電を必要とする外部機器として特定する、
ことを特徴とする請求項１に記載の給電処理装置。
【請求項１１】
前記給電制御手段は、
前記外部機器特定手段により前記無線給電部からの無線給電が可能な位置にある複数の外部機器のうち、給電を必要とする外部機器が特定されない場合に、予め設定された給電量で前記無線給電部に無線給電を行わせる第１の給電制御手段と、
前記外部機器特定手段により前記無線給電部からの無線給電が可能な位置にある複数の外部機器のうち、給電を必要とする外部機器が特定された場合に、前記給電量設定手段により設定された給電量で前記無線給電部に無線給電を行わせる第２の給電制御手段と、
を有することを特徴とする請求項１または請求項１０に記載の給電処理装置。
【請求項１２】
前記給電量設定手段は、前記外部機器特定手段により特定された外部機器の動作の内容に応じてその動作に必要とする給電量を設定する、
ことを特徴とする請求項１または請求項１０に記載の給電処理装置。
【発明の詳細な説明】
【技術分野】
【０００１】
本発明は、外部の電子機器に対して磁界共鳴給電や電磁誘導給電等による無線給電を適切に行うための給電処理装置に関する。
【背景技術】
【０００２】
従来、充電マット上に置かれた複数の受信機デバイスを対象に、当該受信機デバイスから受け取られた電力要求に応じて電力レベルを調整しながら無線で電力を給電して充電する無線充電のための適応型電力制御が考えられている（例えば、特許文献１参照。）。
【０００３】
また、外部機器の近接を検出して当該近接した機器に磁界共鳴により電力を伝送して充電する無線電力伝送装置が考えられている（例えば、特許文献２参照。）。
【０００４】
また同様に、磁界共鳴型の電力伝送システムが考えられている（例えば、特許文献３参照。）。
【０００５】
一方、出願人は、電子ペーパを下敷に載せて手書き記入することで、電子ペーパ上に手書き内容を表示できるようにした電子ペーパ記録装置の特許出願を行った（例えば、特許文献４参照。）。この電子ペーパ記録装置では、下敷から電子ペーパに対して電磁誘導による無線給電を行っている。
【先行技術文献】
【特許文献】
【０００６】
【特許文献１】特表２０１２−５１６１３１号公報
【特許文献２】特開２０１２−０６０８７５号公報
【特許文献３】特開２０１１−１６０６３４号公報
【特許文献４】特開２００７−３２３３６５号公報
【発明の概要】
【発明が解決しようとする課題】
【０００７】
前記従来の無線充電のための適応型電力制御では、充電マット上に置かれた受信機デバイスの全てを対象に常時充電可能であるが、当該受信機デバイスが充電を必要としない場合であっても充電マット上であれば常に電力供給が行われてしまう、という無駄がある。
【０００８】
また、前記無線電力伝送装置では、外部機器の近接が検出された状態で電力の伝送が行われるため、当該電力の伝送をオフするためには、外部機器をその近接が検出されなくなる離れた場所に持って行かなければならない。
【０００９】
このように、前記従来の無線による電力伝送システムでは、給電元装置に近接した外部機器であれば何れの外部機器に対しても電力給電されてしまうため、他人が所持する外部機器が意図的に近付けられた場合でも電力給電され、無断で電力が盗用されてしまう、という問題もある。
【００１０】
本発明は、このような課題に鑑みてなされたもので、給電対象となる外部機器に適切な給電量で無線給電することが可能になる給電処理装置を提供することを目的とする。
【課題を解決するための手段】
【００１１】
本発明に係る給電処理装置は、外部機器に対して無線給電を行う無線給電部を有する給電処理装置であって、前記無線給電部からの無線給電が可能な位置にある複数の外部機器のうち、給電を必要とする外部機器を特定する外部機器特定手段と、この外部機器特定手段により特定された外部機器がその動作に必要とする給電量を設定する給電量設定手段と、この給電量設定手段により設定された給電量で前記無線給電部に無線給電を行わせる給電制御手段と、を備えたことを特徴としている。
【発明の効果】
【００１２】
本発明によれば、給電対象となる外部機器に対してだけ、適切な給電量で無線給電することが可能になる。
【図面の簡単な説明】
【００１３】
【図１】本発明の給電処理装置の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図。
【図２】本発明の給電処理装置の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図。
【図３】前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図。
【図４】前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図。
【図５】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図。
【図６】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図。
【図７】前記電子ペーパ記録装置１０Ａ，１０ＢをネットワークＮ上のクラウドコンピューティングシステムの端末として組み込んだ場合の電子回路の構成を示すブロック図。
【図８】前記電子ペーパ記録装置１０Ａ，１０Ｂの電子下敷１２Ｂ（１２Ａ）の情報記憶装置３０にて記憶管理される電子ペーパ管理テーブル（下敷）５４の内容を示す図。
【図９】前記電子ペーパ記録装置１０Ｂを端末としネットワーク（インターネット）Ｎ上の電子ペーパ管理サーバ５３にウェブアクセスベースで接続して使用する場合の構成例を示すブロック図。
【図１０】前記電子ペーパ管理サーバ５３の電子ペーパ管理部５８ｂにて記憶管理される電子ペーパ管理テーブル（サーバ）６２の内容を示す図。
【図１１】前記電子ペーパ記録装置１０Ａの電子下敷１２Ａにおける各電子ペーパ１１Ａ…との間での第１実施形態の時分割給電に伴う表示更新の動作を示すタイミングチャート。
【図１２】前記電子ペーパ記録装置１０Ａ，１０Ｂを端末として組み込んだクラウドコンピューティングシステムにおける第１実施形態の電子下敷１２Ａ，１２Ｂでの処理（その１）を示すフローチャート。
【図１３】前記電子ペーパ記録装置１０Ａ，１０Ｂを端末として組み込んだクラウドコンピューティングシステムにおける第１実施形態の電子下敷１２Ａ，１２Ｂでの処理（その２）を示すフローチャート。
【図１４】前記電子ペーパ記録装置１０Ａ，１０Ｂを端末として組み込んだクラウドコンピューティングシステムにおける電子ペーパ管理サーバ５３での処理を示すフローチャート。
【図１５】前記電子ペーパ記録装置１０Ａ，１０Ｂを端末として組み込んだクラウドコンピューティングシステムにおける第１実施形態の電子ペーパ１１Ａ，１１Ｂでの処理を示すフローチャート。
【図１６】前記電子ペーパ記録装置１０Ａの電子下敷１２Ａにおける各電子ペーパ１１Ａ…との間での第２実施形態の時分割給電に伴う表示更新の動作を示すタイミングチャート。
【発明を実施するための形態】
【００１４】
以下図面により本発明の実施の形態について説明する。
【００１５】
（第１実施形態）
図１は、本発明の給電処理装置の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図である。
【００１６】
この電子ペーパ記録装置（片面タイプ）１０Ａは、その表面に不揮発性表示装置１７を有する複数枚の電子ペーパ（片面タイプ）１１Ａ…と、この複数枚の電子ペーパ１１Ａ…を重ねて載置する電子下敷（片面タイプ）１２Ａとを備え、各電子ペーパ１１Ａ…は電子下敷１２Ａの左側中央に設けられた片面バインダ部１３にその左辺中央を挟み込ませて綴じられる。
【００１７】
電子下敷１２Ａは、その表面における電子ペーパ１１Ａ…の載置面に対応させて例えば電磁誘導方式によるタブレット１４を備え、このタブレット１４によって電子ペン１５による最上部の電子ペーパ１１Ａ上での手書き位置に対応する座標位置を検出する。そして、バインダ部１３を利用して設けられた後述の非接触型の電源供給手段及び通信手段（図３〜図６参照）を介して電子ペーパ１１Ａに内蔵された表示用の記憶装置に対し前記手書き位置の検出座標に対応した表示データ、あるいは外部の情報提供装置から取得された各種コンテンツの表示データを記憶させ、電子ペーパ１１Ａの不揮発性表示装置１７を表示動作させる。
【００１８】
電子ペーパ１１Ａの不揮発性表示装置１７は、例えば透明の電極板間に＋に帯電した黒色粒子と−に帯電した白色粒子とを交互にマトリクス状に仕切って封入し、一方の電極板を−（マイナス）に帯電させることで黒色表示となり、＋（プラス）に帯電させることで白色表示となるもので、当該電極板は電圧の印加によってその最後に印加した電圧の極性に帯電し、無電源状態での表示が保持される。
【００１９】
これにより、電子下敷１２Ａおよびそのバインダ部１３を介して外部から入力された表示データを電子ペーパ１１Ａにて表示できるだけでなく、前記電子ペン１５によって直接的に書き込んだ手書きデータをも表示させることができ、しかもその電子ペーパ１１Ａを、図１（Ｂ）に矢印ａで示すように、電子下敷１２Ａから取り外すことで、通常の紙と同じように取り扱うことができる。
【００２０】
なお、この電子ペーパ記録装置（片面タイプ）１０Ａでは、電子ペーパ１１Ａのユーザ操作に応じてその不揮発性表示装置１７の表示の内容が更新されるときに、その表示の更新に必要な電力量で、当該電子ペーパ１１Ａに対して電子下敷１２Ａからその非接触型の電源供給手段を介して無線給電が行われる。
【００２１】
図２は、本発明の給電処理装置の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図である。
【００２２】
この電子ペーパ記録装置（両面タイプ）１０Ｂで使用する複数枚の電子ペーパ（両面タイプ）１１Ｂ…は、その表面と裏面との両面にそれぞれ前述の不揮発性表示装置１７Ｒ，１７Ｌを有し、見開き型電子下敷１２Ｂの中央に設けられた見開きバインダ部１６によってそれぞれその一端部が貫通されて綴じられる。
【００２３】
見開き型電子下敷１２Ｂは、その左右の各見開き面における電子ペーパ１１Ｂ…の載置面にそれぞれ例えば電磁誘導方式によるタブレット１４Ｒ，１４Ｌを備え、このタブレット１４Ｒ，１４Ｌの各々によって電子ペン１５による右側最上部の電子ペーパ１１Ｂの表面上と左側最上部の電子ペーパ１１Ｂの裏面上での手書き位置に対応する座標位置を検出する。そして、見開きバインダ部１６に対応して設けられた後述の非接触型の電源供給手段及び通信手段（図３〜図６参照）を介して電子ペーパ１１Ｂに内蔵された表示用の記憶装置に対し、前記表面と裏面の各手書き位置の検出座標に対応した表示データ、あるいは外部の情報提供装置から取得された各種コンテンツの表示データを記憶させ、電子ペーパ１１Ｂをその両面の不揮発性表示装置１７Ｒ，１７Ｌで表示動作させる。
【００２４】
これにより、電子下敷１２Ｂおよびその見開きバインダ部１６を介して外部から入力された表示データを電子ペーパ（両面タイプ）１１Ｂの表裏面にて表示できるだけでなく、前記電子ペン１５によって直接的に書き込んだ手書きデータをも同表裏面に表示させることができ、しかもその電子ペーパ１１Ｂを、図２（Ｂ）に矢印ｃで示すように、電子下敷１２Ｂから取り外すことで、通常の表と裏のある紙と同じように取り扱うことができる。
【００２５】
なお、この電子ペーパ記録装置（両面タイプ）１０Ｂでも、電子ペーパ１１Ｂのユーザ操作に応じてその不揮発性表示装置１７Ｒ，１７Ｌの表示の内容が更新されるときに、その表示の更新に必要な電力量で、当該電子ペーパ１１Ｂに対して電子下敷１２Ｂからその非接触型の電源供給手段を介して無線給電が行われる。
【００２６】
図３は、前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図である。
【００２７】
なお、表側から見た電子ペーパ（片面タイプ）１１Ａの構成と電子ペーパ（両面タイプ）１１Ｂの構成とは同じである。
【００２８】
電子ペーパ１１Ａ，１１Ｂには、その中央の略全領域に渡って不揮発性表示装置（表）１７（１７Ｒ），（裏）１７Ｌが設けられ、また綴じ込み部１８には、フレキシブルＩＣチップからなる制御装置１９、個別の電子ペーパＩＤを記憶するＩＤ記憶部２０、表示データを記憶する（情報）記憶装置２１が表裏共用として内蔵される。
【００２９】
さらに、前記綴じ込み部１８の中央に設けられた一方のバインダ用貫通孔１６ａの周囲には非接触型の電磁誘導電源部２２が表裏共用として内蔵され、また、もう一方のバインダ用貫通孔１６ｂの周囲には非接触型の通信装置２３が表裏共用として内蔵される。
【００３０】
また、電子ペーパ１１Ａ，１１Ｂの表側上部と、電子ペーパ１１Ｂの裏側上部とには、それぞれキーやタッチパッドなどを使用した入力装置２４（２４Ｒ），２４Ｌが設けられ、当該ペーパ上部の前記綴じ込み部１８とは反対の端部には、光センサを使用した重なり検出センサ２５（２５Ｒ），２５Ｌが設けられる。
【００３１】
そして、前記電子ペーパ１１Ａ，１１Ｂにおける不揮発性表示装置（表）１７（１７Ｒ），（裏）１７Ｌの４角の位置には、当該電子ペーパ１１Ａ，１１Ｂの電子下敷タブレット１４（１４Ｒ），１４Ｌに対する載置位置の位置ずれ検出のためのキャリブレーションポインタ２６ａ〜２６ｄが表裏共用として内蔵される。
【００３２】
図４は、前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図である。
【００３３】
なお、正面から見た電子下敷（片面タイプ）１２Ａの構成と見開き型電子下敷１２Ｂの右面を見た構成とは同じである。
【００３４】
電子下敷１２Ａ，１２Ｂには、その中央の略全領域に渡って例えば電磁誘導方式のタブレット１４（１４Ｒ），１４Ｌが設けられ、またペーパ綴じ込み部２７には、ＩＣチップからなる制御装置２８、個別の電子下敷ＩＤを記憶するＩＤ記憶部２９、電子ペーパ１１Ａ，１１Ｂに対する表示用データなどを記憶する（情報）記憶装置３０が内蔵される。
【００３５】
また、電子下敷１２Ａ，１２Ｂの右端部、同電子下敷１２Ｂの左端部には、それぞれキーやタッチパッドなどを使用した下敷用入力装置３１（３１Ｒ），３１Ｌが設けられ、さらに上端部にはＬＣＤモニタなど常時電源供給の必要な表示装置をコネクタ接続するための接触型表示Ｉ／Ｆ（インターフェイス）３２、外部の通信ネットワークやそのネットワーク上にあるサーバコンピュータなどとの接続を図るための外部接続装置３３が設けられる。
【００３６】
さらに、前記ペーパ綴じ込み部２７のバインダ位置に対応させた中央部分には、電磁誘導電源供給部３５（３５Ｒ），３５Ｌが内蔵され、この電磁誘導電源供給部３５（３５Ｒ），３５Ｌから電磁誘導によって前記電子ペーパ１１Ａ，１１Ｂへの非接触電源供給を行うための電源供給用コア３４（３４Ｒ），３４Ｌが設けられる。
【００３７】
また、同ペーパ綴じ込み部２７のバインダ位置に対応させた中央部分には、通信装置３７（３７Ｒ），３７Ｌが内蔵され、この通信装置３７（３７Ｒ），３７Ｌから電磁誘導によって前記電子ペーパ１１Ａ，１１Ｂへの非接触通信を行うための通信用コア３６（３６Ｒ），３６Ｌが設けられる。
【００３８】
そしてこの電子下敷１２Ａ，１２Ｂには、例えば充電式のバッテリ３８が内蔵され、このバッテリ３８によって前記タブレット１４（１４Ｒ），１４Ｌ、制御装置２８、ＩＤ記憶部２９、記憶装置３０、下敷用入力装置３１（３１Ｒ），３１Ｌ、接触型表示Ｉ／Ｆ３２を介して接続される外部の表示装置にそれぞれ電力が供給されると共に、前記電磁誘導電源供給部３５（３５Ｒ），３５Ｌから電源供給用コア３４（３４Ｒ），３４Ｌを介して当該電子下敷１２Ａ，１２Ｂに載置される前記電子ペーパ１１Ａ，１１Ｂへと非接触で電力が供給される。
【００３９】
なお、この電子下敷１２Ａ，１２Ｂから電子ペーパ１１Ａ，１１Ｂへの非接触での電力の供給は、前述した通り、電子ペーパ１１Ａ，１１Ｂのユーザ操作に応じてその不揮発性表示装置１７（１７Ｒ），１７Ｌの表示の内容が更新されるときに、その表示の更新に必要な電力量で行われる。
【００４０】
図５は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図である。
【００４１】
この電磁誘導部（平面タイプ）は、バインダ用貫通孔１６ａ，１６ｂ（図３参照）を持たない電子ペーパ１１Ａ，１１Ｂの綴じ込み部１８の電磁誘導電源部２２と通信部２３に対して電磁誘導による電源供給と通信接続を行うもので、電子ペーパ（片面タイプ）１１Ａおよび（両面タイプ）１１Ｂの何れの場合でも、電子下敷１２Ａ，１２Ｂの電磁誘導電源供給部３５（３５Ｒ），３５Ｌや通信装置３７（３７Ｒ），３７Ｌに設けた下敷側コア３９の先端露出面に対応する位置にはペーパ内コア４０…が内蔵され、このペーパ内コア４０の周囲を囲むように信号取り出し用の平面コイル４１が内蔵される。
【００４２】
なお、図５（Ａ１）で示す電子下敷（片面タイプ）１２Ａの電磁誘導部の場合には、その電子ペーパ（片面タイプ）１１Ａを綴じ込むバインダ部１３の内部にも下敷側コア３９を延長させ、当該電子ペーパ（片面タイプ）１１Ａのペーパ内コア４０…と合わせて電磁力線の磁束ループが損失少なく形成されるようにする。同図５（Ａ１）において４２はバインダ部１３の綴じ込み力を有するヒンジである。
【００４３】
すなわち、電子ペーパ（片面タイプ）１１Ａ…の綴じ込み部１８にペーパ内コア４０…を設けた場合には、設けない場合に較べて、下敷側コア３９との間で当該ペーパ内コア４０…を介し磁気抵抗が低くなり漏れ磁束少なく磁束ループがスムーズに通過形成されるので、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３から下敷側コア３９を経て、電子ペーパ１１Ａ，１１Ｂのペーパ内コア４０…からペーパ側平面コイル４１へと効率よく伝送され、その電磁誘導電源部２２へと電源供給され、通信部２３へと受信されるようになる。
【００４４】
図６は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図である。
【００４５】
この電磁誘導部（凸面タイプ）は、バインダ用貫通孔１６ａ，１６ｂ（図３参照）を有する電子ペーパ１１Ａ，１１Ｂの綴じ込み部１８の電磁誘導電源部２２と通信部２３に対して電磁誘導による電源供給と通信接続を行うもので、図６（Ａ１）に示すように、電子ペーパ（片面タイプ）１１Ａの場合には、電子下敷（片面タイプ）１２Ａの電磁誘導電源供給部３５や通信装置３７に対応して設けたバインダ兼用凸型コア３９ａを電子ペーパ（片面タイプ）１１Ａの綴じ込み部１８におけるバインダ用貫通孔１６ａ，１６ｂに挿通係止させ、当該電子ペーパ（片面タイプ）１１Ａの綴じ込みを行う。
【００４６】
また、図６（Ｂ）に示すように、電子ペーパ（両面タイプ）１１Ｂの場合には、電子下敷（両面タイプ）１２Ｂの電磁誘導電源供給部３５や通信装置３７に対応して設けたバインダ兼用凸型リング状コア３９ｂ（１６）を電子ペーパ（両面タイプ）１１Ｂの綴じ込み部１８におけるバインダ用貫通孔１６ａ，１６ｂに挿通係止させ、当該電子ペーパ（両面タイプ）１１Ｂの綴じ込みを行う。同図６（Ｂ）において４４は見開きバインダ部１６（３９ｂ）の綴じ込み力を有するヒンジである。
【００４７】
なお、図６で示すバインダ用貫通孔１６ａ，１６ｂを有する電子ペーパ１１Ａ，１１Ｂに対しての電子下敷１２Ａ，１２Ｂの電磁誘導部の場合には、一方の電子下敷（片面タイプ）１２Ａの場合、他方の電子下敷（両面タイプ）１２Ｂの場合の何れにあっても、バインダ兼用凸型コア３９ａあるいはバインダ兼用凸型リング状コア３９ｂによって電子ペーパ１１Ａ，１１Ｂのバインダ用貫通孔１６ａ，１６ｂを通過する環状コアが形成されるので、電磁力線の磁束ループがより損失なく形成される。
【００４８】
すなわち、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３からバインダ兼用凸型コア３９ａあるいはバインダ兼用凸型リング状コア３９ｂを経て、電子ペーパ１１Ａ，１１Ｂのペーパ側平面コイル４１へとより効率よく伝送され、その電磁誘導電源部２２へと電源供給され、通信部２３へと受信されるようになる。
【００４９】
一方、電子下敷１２Ａ（１２Ｂ）のタブレット１４上に載置された電子ペーパ１１Ａ（１１Ｂ）上で電子ペン１５によって手書き作業を行うと、当該電子ペン１５による書き込み位置は、電子下敷１２Ａ（１２Ｂ）のタブレット１４によって座標検出される。
【００５０】
この際、電子ペーパ１１Ａ（１１Ｂ）のタブレット１４上での載置位置は、電磁誘導コイルによって構成されたキャリブレーションポインタ２６ａ〜２６ｄの各位置が同タブレット１４によって座標検出されることで、その規定の載置位置からの座標の位置ずれが電子下敷１２Ａ（１２Ｂ）の制御装置２８によって計算検出される。
【００５１】
これにより、電子ペーパ１１Ａ（１１Ｂ）上での電子ペン１５での書き込み作業に伴い電子下敷１２Ａ（１２Ｂ）のタブレット１４によって検出される座標位置は、前記計算検出された電子ペーパ１１Ａ（１１Ｂ）の規定の載置位置からの位置ずれ量に応じて補正され、この補正後の書き込み座標位置に従って電子ペーパ１１Ａ（１１Ｂ）の通信部２３から（情報）記憶装置２１に対し書き込み軌跡の表示データが記憶され、不揮発性表示装置１７での手書きデータ表示が行われる。
【００５２】
また、例えば、電子下敷（両面タイプ）１２Ｂの左面のタブレット１４Ｌ上に１枚の電子ペーパ１１Ｂ（Ａ）が開かれ、また右面のタブレット１４Ｒ上には２枚の電子ペーパ１１Ｂが（Ｃ）→（Ｂ）の順に重ねられている状態では、左面のタブレット１４Ｌ上にある電子ペーパ１１Ｂ（Ａ）の裏面側重なり検出センサ２５Ｌに受光が検出され「重なり無し」と判別されると共に、キャリブレーションポインタ２６ａ〜２６ｄによってその座標位置がタブレット１４Ｌに検出されるので、当該電子ペーパ１１Ｂ（Ａ）は電子下敷（両面タイプ）１２Ｂの左面上で有効（アクティブ）と判別される。
【００５３】
また、右面のタブレット１４Ｒ上に重ねてある２枚の電子ペーパ１１Ｂ（Ｃ）（Ｂ）については、何れの電子ペーパ１１Ｂ（Ｃ）（Ｂ）もそのキャリブレーションポインタ２６ａ〜２６ｄによってタブレット１４Ｒに検出される一方で、電子ペーパ１１Ｂ（Ｂ）の表側重なり検出センサ２５Ｒにだけ受光が検出されて「重なり無し」と判別されるので、当該電子ペーパ１１Ｂ（Ｂ）は電子下敷（両面タイプ）１２Ｂの右面上で有効（アクティブ）と判別される。
【００５４】
なお、中立している電子ペーパ１１Ｂがある場合、表裏面側重なり検出センサ２５Ｒ，２５Ｌに受光が検出され「重なり無し」と判別される一方で、そのキャリブレーションポインタ２６ａ〜２６ｄからの電磁誘導信号は電子下敷１２Ｂにおける左右何れのタブレット１４Ｌ，１４Ｒにも検出されないので、当該中立の電子ペーパ１１Ｂは無効（非アクティブ）と判別される。
【００５５】
従って、電子下敷１２Ｂの制御装置２８では、その電磁誘導部を介して非接触で通信接続される各電子ペーパ１１Ｂ…それぞれのＩＤ（Ａ）（Ｂ）（Ｃ）…に対応付けて、その表裏の重なり検出センサ２５Ｒ，２５Ｌによる重なり有無検出、キャリブレーションポインタ２６ａ〜２６ｄによるアクティブ有無検出、各ペーパサイズなどを収集管理することで、左右それぞれのタブレット１４Ｌ，１４Ｒ上にある有効（アクティブ）な電子ペーパ１１Ｂを判別でき、外部接続される情報端末から取得した各種コンテンツの表示データや前記左右のタブレット１４Ｌ，１４Ｒにて検出された電子ペン１５による手書きデータ、あるいは入力装置３１Ｌ，３１Ｒから入力された文字データ等を、前記電磁誘導部を介してその有効（アクティブ）な電子ペーパ１１ＢのＩＤを有する不揮発性表示装置１７Ｌ，１７Ｒに表示させることができる。
【００５６】
図７は、前記電子ペーパ記録装置１０Ａ，１０ＢをネットワークＮ上のクラウドコンピューティングシステムの端末として組み込んだ場合の電子回路の構成を示すブロック図である。
【００５７】
これによれば、電子下敷１２Ｂ（１２Ａ）にＷｅｂブラウザを組み込むことで、ネットワークＮ上の情報提供サーバ５３Ｗ…から選択的に取得される任意のコンテンツの表示データを電子ペーパ１１Ａ（１１Ｂ）に表示させることができ、またその表示データを、ネットワークＮ上の電子ペーパ管理サーバ５３により、ペーパＩＤ、下敷ＩＤと対応付けて登録し管理することができる。
【００５８】
電子ペーパ１１Ａ（１１Ｂ）の電子回路は、前記図３を参照して説明したように、例えばフレキシブルＩＣチップのコンピュータである低機能ＣＰＵからなる制御装置１９を中心にして、不揮発性表示装置１７（１７Ｒ，１７Ｌ）、ＩＤ記憶部２０、情報記憶装置２１、電磁誘導電源部２２、通信装置２３、入力装置２４（２４Ｒ，２４Ｌ）、重なり検出センサ２５（２５Ｒ，２５Ｌ）、キャリブレーションポインタ２６ａ〜２６ｄが接続される。
【００５９】
電子下敷１２Ｂ（１２Ａ）の電子回路は、前記図４を参照して説明したように、例えばフレキシブルＩＣチップのコンピュータである低機能ＣＰＵからなる制御装置２８を中心にして、タブレット１４Ｒ，１４Ｌ（１４）、ＩＤ記憶部２９、情報記憶装置３０、入力装置３１Ｒ，３１Ｌ（３１）、接触型表示Ｉ／Ｆ３２、外部接続装置３３、電磁誘導電源供給部３５Ｒ，３５Ｌ（３５）、通信装置３７Ｒ，３７Ｌ（３７）、電源部（バッテリ）３８が接続される。
【００６０】
前記電子ペーパ１１Ａ（１１Ｂ）…は、前記電子下敷１２Ｂ（１２Ａ）に対して、前記図１，図２で示したように、そのバインダ部１６（１３）によってタブレット１４Ｒ，１４Ｌ（１４）上に載置して綴じることで、前記図５，図６で示したような電磁誘導部を介して、電子下敷１２Ｂ（１２Ａ）の電磁誘導電源供給部３５Ｒ，３５Ｌ（３５）が電子ペーパ１１Ａ（１１Ｂ）…の電磁誘導電源部２２に電磁接続され、また電子下敷１２Ｂ（１２Ａ）の通信装置３７Ｒ，３７Ｌ（３７）が電子ペーパ１１Ａ（１１Ｂ）…の通信装置２３に電磁接続される。
【００６１】
そして、電子ペーパ１１Ａ（１１Ｂ）…のキャリブレーションポインタ２６ａ〜２６ｄから発生される電磁誘導信号が電子下敷１２Ｂ（１２Ａ）のタブレット１４Ｒ，１４Ｌ（１４）により座標検出されることで、当該タブレット１４Ｒ，１４Ｌ（１４）に対する電子ペーパ１１Ａ（１１Ｂ）…の載置位置が検出される。
【００６２】
電子ペン１５は、当該ペンＩＤを記憶するＩＤ記憶部１５ａと、このＩＤ記憶部１５ａに記憶されたペンＩＤを読み出してコード信号を生成出力するＩＣチップの制御部１５ｂと、この制御部１５ｂにより生成出力されたペンＩＤのコード信号を電磁誘導信号に変換して出力するコイルを備えた通信装置１５ｃを有する。
【００６３】
前記電子ペーパ１１Ａ（１１Ｂ）の各回路部を制御装置１９が制御するためのプログラムデータは情報記憶装置２１に記憶され、またこの情報記憶装置２１には、当該電子ペーパ１１Ａ（１１Ｂ）の仕様である固有情報の他、入力装置２４（２４Ｒ，２４Ｌ）からのキー操作入力だけでなく、電子ペン１５からの電子下敷１２Ｂ（１２Ａ）による手書き位置検出入力、あるいは外部接続された情報提供サーバ５３Ｗ…や電子ペーパ管理サーバ５３からのテキスト・画像などの各種コンテンツの入力に応じたデータを不揮発性表示装置１７（１７Ｒ，１７Ｌ）に表示させるための表示データなども記憶される。
【００６４】
前記電子下敷１２Ｂ（１２Ａ）の各回路部を制御装置２８が制御するためのプログラムデータ（Ｗｅｂブラウザ含む）は情報記憶装置３０に記憶され、またこの情報記憶装置３０には、綴じ込みされた各電子ペーパ１１Ａ（１１Ｂ）…を管理するための管理情報（図８参照）の他、入力装置３１Ｒ，３１Ｌ（３１）からのキー操作入力だけでなく、タブレット１４Ｒ，１４Ｌ（１４）による前記電子ペン１５からの手書き位置検出入力、あるいは外部接続された情報提供サーバ５３Ｗ…や電子ペーパ管理サーバ５３からのテキスト・画像などの各種コンテンツの入力に応じたデータを現在有効（アクティブ）な電子ペーパ１１Ａ（１１Ｂ）へ送信して表示させるための表示データなども一時記憶される。
【００６５】
なお、この電子ペーパ記録装置１０Ａ（１０Ｂ）では、前述した通り、電子ペーパ１１Ａ（１０Ｂ）のユーザ操作に応じてその不揮発性表示装置１７（１７Ｒ，１７Ｌ）の表示の内容が更新されるときに、その表示の更新に必要な電力量で、当該電子ペーパ１１Ａ（１０Ｂ）に対して電子下敷１２Ｂ（１２Ａ）からその非接触型の電源供給手段を介して無線給電が行われる。このため、前記各電子ペーパ１１Ａ（１１Ｂ）…を管理するための管理情報（図８参照）は、当該電子下敷１２Ｂ（１２Ａ）からの無線給電時に、予め認証されたペーパＩＤを有する電子ペーパ１１Ａ（１１Ｂ）からの応答信号（ＡＣＫ）に基づき生成される。
【００６６】
そして、表示装置４５は、前記電子ペーパ１１Ａ（１１Ｂ）…と同様にして前記電子下敷１２Ｂ（１２Ａ）のバインダ部１６（１３）に必要に応じて綴じられ、その各々の接触型表示Ｉ／Ｆ３２，５２によって接続される。この表示装置４５においても、電子ペン１５からの電子下敷１２Ｂ（１２Ａ）による手書き位置検出入力、あるいは外部接続された情報提供サーバ５３Ｗ…や電子ペーパ管理サーバ５３からのテキスト・画像などの各種コンテンツの入力に応じたデータをＬＣＤ表示装置４６にて表示できる。
【００６７】
ここで、前記電子下敷１２Ａ（１２Ｂ）の外部接続装置３３に外部接続されるネットワークＮ上の情報提供サーバ５３Ｗ…や電子ペーパ管理サーバ５３は、当該外部接続装置３３との有線通信又は無線通信により接続されるＰＣや携帯電話などの通信端末装置６１を中継して接続する構成としても良いし、直接接続する構成としても良い。
【００６８】
図８は、前記電子ペーパ記録装置１０Ａ，１０Ｂの電子下敷１２Ｂ（１２Ａ）の情報記憶装置３０にて記憶管理される電子ペーパ管理テーブル（下敷）５４の内容を示す図である。
【００６９】
この電子ペーパ管理テーブル（下敷）５４には、電子下敷１２Ｂ（１２Ａ）のバインダ部１６（１３）に電子ペーパ１１Ａ（１１Ｂ）…が綴じられてタブレット１４Ｒ，１４Ｌ（１４）上に載置され、予め認証されたペーパＩＤを有する電子ペーパ１１Ａ（１１Ｂ）への無線給電が為された際に、当該認証された電子ペーパ１１Ａ（１１Ｂ）から通信受信される固有情報（電子ペーパＩＤ・表裏コード・サイズ）および重なり検出センサ２５（２５Ｒ，２５Ｌ）による重なり検出情報と、キャリブレーションポインタ２６ａ〜２６ｄの位置がタブレット１４Ｒ，１４Ｌ（１４）により座標検出されることによって認識される手書き位置の補正情報および前記重なり検出情報を加えて判別されるアクティブ（有効）情報が記憶されると共に、各電子ペーパ１１Ａ（１１Ｂ）の表裏それぞれに表示させる表示情報（表示データのコンテンツＩＤ・手書きデータとその位置）も記憶される。
【００７０】
そして、電子ペーパ管理テーブル（下敷）５４に記憶される各種の情報のうち、前記重なり検出情報、手書き位置の補正情報、アクティブ（有効）情報については、認証された電子ペーパ１１Ａ（１１Ｂ）からの応答信号（ＡＣＫ）が受信される毎に更新されて記憶される。
【００７１】
よって、この電子ペーパ管理テーブル５４に従って、電子下敷１２Ｂ（１２Ａ）の右面と左面とにおける現在有効（アクティブ）な電子ペーパ１１Ａ（１１Ｂ）を認識し、当該有効（アクティブ）な電子ペーパＩＤに基づいた操作信号の入力処理および表示データの表示処理、登録処理を実行する。
【００７２】
図９は、前記電子ペーパ記録装置１０Ｂを端末としネットワーク（インターネット）Ｎ上の電子ペーパ管理サーバ５３にウェブアクセスベースで接続して使用する場合の構成例を示すブロック図である。
【００７３】
電子ペーパ管理サーバ５３は、コンピュータであるＣＰＵからなる制御装置５６を備え、この制御装置５６を中心にして入力装置５７、記憶装置５８、表示装置５９が接続され、またネットワーク（インターネット）Ｎ上の端末（電子ペーパ記録装置１０Ｂ）と、ＰＣや携帯電話などの通信端末装置６１を介して、あるいは直接的に通信接続するための通信装置６０が接続される。
【００７４】
前記電子ペーパ管理サーバ５３の記憶装置５８には、電子ペーパ管理プログラム等の種々の制御情報を記憶管理するための情報管理部５８ａをはじめ、各端末（電子ペーパ記録装置１０Ｂ…）からの要求に応じて登録または配信すべきコンテンツなどの情報を下敷ＩＤ、ペーパＩＤに対応付けて記憶管理するための電子ペーパ管理部５８ｂが確保される。
【００７５】
図１０は、前記電子ペーパ管理サーバ５３の電子ペーパ管理部５８ｂにて記憶管理される電子ペーパ管理テーブル（サーバ）６２の内容を示す図である。
【００７６】
この電子ペーパ管理テーブル（サーバ）６２には、ログインされた端末（電子ペーパ記録装置１０Ｂ）からの受信に応じて、当該受信された電子下敷ＩＤ、電子ペーパＩＤおよびその表裏コードとアクティブ（有効）情報、表裏それぞれの表示情報（コンテンツＩＤ・コンテンツ表示データ）が対応付けられて記憶される。
【００７７】
ここで、電子ペーパ管理テーブル（サーバ）６２に記憶される各種の情報のうち、前記電子ペーパ１１Ａ（１１Ｂ）のアクティブ（有効）情報については、前記電子ペーパ管理テーブル（下敷）５４の更新に合わせて更新されて記憶され、表示情報（コンテンツＩＤ・コンテンツ表示データ）は、登録要求の受信に応じて新規に又は更新されて記憶される。
【００７８】
図１１は、前記電子ペーパ記録装置１０Ａの電子下敷１２Ａにおける各電子ペーパ１１Ａ…との間での第１実施形態の時分割給電に伴う表示更新の動作を示すタイミングチャートである。
【００７９】
この第１実施形態において、前記電子下敷１２Ａから電子ペーパ１１Ａ…への無線給電は、先ず、問合せ信号（ＥＮＱ）の送信と共に当該送信された問合せ信号（ＥＮＱ）を電子ペーパ１１Ａ…側にて受信してその応答信号（ＡＣＫ）を送信するために必要な電力量の給電（ＡＣＫ待ち給電）が行われる。
【００８０】
この電子下敷１２ＡからのＡＣＫ待ち給電は所定周期で繰り返し行われるもので、このＡＣＫ待ち給電に伴い前記電子ペーパ１１Ａの入力装置２４にて表示更新のためのユーザ入力（新規表示／ページ送り表示／ページ戻し表示／表示消去等）が為された場合に、その入力データ、ペーパＩＤ、現在表示中のコンテンツＩＤを含む応答信号（ＡＣＫ）が生成され、前記電子下敷１２Ａへ送信される。
【００８１】
前記電子下敷１２Ａにおいて、前記電子ペーパ１１Ａから送信された応答信号（ＡＣＫ）が受信されると、当該応答信号（ＡＣＫ）に予め認証（登録）されたペーパＩＤ（例えば“Ａ”“Ｂ”“Ｃ”）が含まれる電子ペーパ１１Ａに対してだけ、前記入力データに応じたコンテンツ表示データが取得され、このコンテンツ表示データの送信と共に同コンテンツ表示データを受信して表示させるのに必要な電力量の給電が行われる。
【００８２】
ここで、前記コンテンツ表示データを電子ペーパ１１Ａにて受信して表示させるのに必要な電力量は、当該表示データのデータ量に応じた給電量（給電時間）として設定される。
【００８３】
そして、前記電子下敷１２Ａにおいて、予め認証（登録）されていない電子ペーパ１１ＡからのペーパＩＤ（例えば“Ｄ”）を含む応答信号（ＡＣＫ）が受信された場合は、当該電子ペーパ“Ｄ”１１Ａへの給電は行われない。
【００８４】
すなわち、この第１実施形態の電子ペーパ記録装置１０Ａ（１０Ｂ）は、電子下敷１２Ａ（１２Ｂ）から所定周期で送信されるＡＣＫ待ち給電を伴う問合せ信号（ＥＮＱ）に応答して、ユーザ入力に応じた応答信号（ＡＣＫ）が送信された認証（登録）済みの電子ペーパ１１Ａ（１１Ｂ）…に対して、当該ユーザ入力に応じたコンテンツ表示データの取得送信と共に、その表示データ量に応じた給電量（給電時間）の時分割給電を行う機能を有する。
【００８５】
次に、前記構成の電子ペーパ記録装置１０Ａ，１０Ｂをクラウドコンピューティングシステムの端末として組み込んだ場合（図７〜図１１参照）の動作について説明する。
【００８６】
図１２は、前記電子ペーパ記録装置１０Ａ，１０Ｂを端末として組み込んだクラウドコンピューティングシステムにおける第１実施形態の電子下敷１２Ａ，１２Ｂでの処理（その１）を示すフローチャートである。
【００８７】
図１３は、前記電子ペーパ記録装置１０Ａ，１０Ｂを端末として組み込んだクラウドコンピューティングシステムにおける第１実施形態の電子下敷１２Ａ，１２Ｂでの処理（その２）を示すフローチャートである。
【００８８】
図１４は、前記電子ペーパ記録装置１０Ａ，１０Ｂを端末として組み込んだクラウドコンピューティングシステムにおける電子ペーパ管理サーバ５３での処理を示すフローチャートである。
【００８９】
図１５は、前記電子ペーパ記録装置１０Ａ，１０Ｂを端末として組み込んだクラウドコンピューティングシステムにおける第１実施形態の電子ペーパ１１Ａ，１１Ｂでの処理を示すフローチャートである。
【００９０】
電子ペーパ記録装置（両面タイプ）１０Ｂの電子下敷（両面タイプ）１２Ｂにおいて、電子下敷処理が開始されると、当該電子下敷１２Ｂに装着されている各電子ペーパ１１Ｂ…に対して、所定周期で、制御装置２８から通信装置３７Ｒ，３７Ｌを介して問合せ信号（ＥＮＱ）が送信されると共に、電磁誘導電源供給部３５Ｒ，３５Ｌを介して応答信号（ＡＣＫ）の送信に必要な電力量のＡＣＫ待ち給電が行われる（ステップＳ１）。
【００９１】
すると、前記各電子ペーパ１１Ｂ…からのユーザ入力に応じた応答信号（ＡＣＫ）の受信待機状態となる（ステップＳ２）。
【００９２】
ここで、前記各電子ペーパ１１Ｂ…の制御装置１９において、前記電子下敷１２ＢからのＡＣＫ待ち給電が電磁誘導電源部２２になされたと判断されると共に（ステップＰ１（Ｙｅｓ））、同電子下敷１２Ｂからの問合せ信号（ＥＮＱ）が通信装置２３に受信されたと判断されると（ステップＰ２（Ｙｅｓ））、入力装置２４Ｒ，２４Ｌからのユーザ入力の待機状態になる（ステップＰ３）。
【００９３】
例えば電子下敷１２Ｂのタブレット１４Ｒ上に載せられたペーパＩＤ“Ｂ”を有する表示コンテンツのない電子ペーパ１１Ｂにおいて、新規に画面表示するためのユーザ入力が入力装置２４Ｒにてなされると（ステップＰ３（Ｙｅｓ）→Ｐ４（Ｎｏ））、ＩＤ記憶部２０に記憶されたペーパＩＤ“Ｂ”、コンテンツＩＤ“なし”、入力データ“新規”を含む応答信号（ＡＣＫ）が通信装置２３から送信される（ステップＰ５）。
【００９４】
前記電子下敷１２Ｂの制御装置２８において、前記電子ペーパ“Ｂ”１１Ｂからの応答信号（ＡＣＫ）が受信されたと判断されると（ステップＳ２（Ｙｅｓ））、当該応答信号（ＡＣＫ）に含まれるペーパＩＤ“Ｂ”について、予め認証されたペーパＩＤであるか否か判断される（ステップＳ３）。
【００９５】
ここで、前記電子ペーパ１１Ｂから受信された応答信号（ＡＣＫ）に含まれるペーパＩＤ“Ｂ”について、予め認証されたペーパＩＤであると判断されると（ステップＳ３（Ｙｅｓ））、前記応答信号（ＡＣＫ）に含まれるコンテンツＩＤ“なし”に基づき、前記電子ペーパ１１Ｂの不揮発性表示装置１７にコンテンツ表示がないと判断される（ステップＳ４（Ｎｏ））。
【００９６】
すると、前記電子ペーパ１１ＢのペーパＩＤ“Ｂ”が、前記電子ペーパ管理テーブル（下敷）５４に既に登録されているか否か判断される（ステップＳ５）。
【００９７】
そして、前記電子ペーパ管理テーブル（下敷）５４に前記電子ペーパ１１ＢのペーパＩＤ“Ｂ”が登録されていないと判断された場合に（ステップＳ５（Ｎｏ））、前記入力データ“新規”に応じた表示の変更と判断されると（ステップＳ６（Ｙｅｓ）→Ｓ７（新規））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得される（ステップＳ８）。
【００９８】
この際、前記取得したコンテンツ表示データのデータ量に応じて、当該コンテンツ表示データを前記電子ペーパ“Ｂ”１１Ｂ側で受信して表示させるのに必要な給電量（給電時間）が設定され、電磁誘導電源供給部３５Ｒを介して同電子ペーパ“Ｂ”１１Ｂに給電される（ステップＳ９）。
【００９９】
またこれと共に、前記取得したコンテンツ表示データが通信装置３７Ｒを介して前記電子ペーパ“Ｂ”１１Ｂへ送信され、その不揮発性表示装置１７に表示される（ステップＳ１０）。
【０１００】
前記電子ペーパ“Ｂ”１１Ｂの制御装置１９において、前記電子下敷１２Ｂからの給電が電磁誘導電源部２２になされたと判断されると共に（ステップＰ６（Ｙｅｓ））、前記電子下敷１２Ｂから送信されたコンテンツ表示データが通信装置２３を介して受信されたと判断されると（ステップＰ７（Ｙｅｓ））、当該受信されたコンテンツ表示データは情報記憶装置２１に記憶され不揮発性表示装置１７Ｒに表示される（ステップＰ８）。
【０１０１】
前記電子下敷１２Ｂにおいて、前記コンテンツ表示データを送信した先の電子ペーパ１１ＢのペーパＩＤが、前記情報記憶装置３０の電子ペーパ管理テーブル（下敷）５４（図８参照）に登録されていないと判断されると（ステップＳ１１（Ｎｏ））、当該電子ペーパ管理テーブル（下敷）５４に前記電子ペーパ１１ＢのペーパＩＤ、同電子ペーパ１１Ｂに送信して表示させたコンテンツ表示データのコンテンツＩＤが記憶される（ステップＳ１２）。
【０１０２】
具体的には、図８に示すように、例えばペーパＩＤ“Ｂ”のアクティブ（有効）な表面“１”に対応付けられてコンテンツＩＤ“３０１”として記憶される。
【０１０３】
さらに、本電子下敷１２ＢのＩＤ記憶部２９から読み出された下敷ＩＤ、および前記電子ペーパ１１ＢのペーパＩＤ、同電子ペーパ１１Ｂに表示されたコンテンツ表示データのＩＤとその表示データが、外部接続装置３３を介してネットワークＮ上の電子ペーパ管理サーバ５３へ送信され、その電子ペーパ管理テーブル（サーバ）６２（図１０参照）に登録される（ステップＳ１３）。
【０１０４】
電子ペーパ管理サーバ５３において、前記電子下敷１２Ｂから送信された下敷ＩＤ、ペーパＩＤ、電子ペーパ１１Ｂに表示中のコンテンツＩＤとその表示データが受信されると（ステップＭ１（Ｙｅｓ））、電子ペーパ管理部５８ｂの電子ペーパ管理テーブル（サーバ）６２に、前記受信された下敷ＩＤ、ペーパＩＤを対応付けた管理データが既に登録されているか否か判断される（ステップＭ２）。
【０１０５】
そして、電子ペーパ管理テーブル（サーバ）６２に、前記受信された下敷ＩＤ、ペーパＩＤを対応付けた管理データが登録されていないと判断されると（ステップＭ２（Ｎｏ））、当該受信された下敷ＩＤ、ペーパＩＤ、電子ペーパ１１Ｂに表示中のコンテンツＩＤとその表示データが対応付けられて新規登録される（ステップＭ３）。
【０１０６】
具体的には、図１０に示すように、例えば下敷ＩＤ“あ”、ペーパＩＤ“Ｂ”のアクティブ（有効）な表面“１”に対応付けられてコンテンツＩＤ“３０１”、コンテンツ表示データ“Ｄ３０１”として登録される。
【０１０７】
そして、前記電子下敷“あ”１２Ｂの電子ペーパ“Ｂ”１１Ｂのアクティブ（有効）な表面“１”にコンテンツＩＤ“３０１”の表示データ“Ｄ３０１”が表示されている状態で、電子ペン１５による手書き入力がタブレット１４Ｒにより検出されると（ステップＳ１４（Ｙｅｓ））、当該手書き入力が検出されている間、電磁誘導電源供給部３５Ｒを介して同電子ペーパ“Ｂ”１１Ｂに給電される（ステップＳ１４ａ）。
【０１０８】
またこれと共に、前記検出された手書き入力に伴う軌跡の手書きデータとその位置情報が通信装置３７Ｒを介して前記電子ペーパ“Ｂ”１１Ｂへ送信され、その不揮発性表示装置１７Ｒに表示中のコンテンツ表示データ“Ｄ３０１”上に重ねられて表示される（ステップＳ１５）。
【０１０９】
そして、この手書き入力に伴う手書きデータとその位置情報は、本電子下敷“あ”１２Ｂの電子ペーパ管理テーブル（下敷）５４において、例えば、図８に示すように、前記電子ペーパＩＤ“Ｂ”のアクティブ（有効）な表面“１”、コンテンツＩＤ“３０１”に対応付けられた手書きデータ“ＨＤＢ１１”とその位置情報“ＰＢ１１”として記憶される（ステップＳ１６）。
【０１１０】
前記電子ペーパ“Ｂ”１１Ｂの制御装置１９において、前記電子下敷１２Ｂからの給電が電磁誘導電源部２２になされたと判断されると共に（ステップＰ９（Ｙｅｓ））、前記電子下敷１２Ｂから送信された手書きデータが通信装置２３を介して受信されたと判断されると（ステップＰ１０（Ｙｅｓ））、当該受信された手書きデータ“ＨＤＢ１１”はその位置情報“ＰＢ１１”に従い前記不揮発性表示装置１７Ｒに表示中のコンテンツ表示データ“Ｄ３０１”上に重畳されて表示される（ステップＰ１１）。
【０１１１】
次に、前記電子ペーパ“Ｂ”１１Ｂの不揮発性表示装置１７Ｒにコンテンツ表示データ“Ｄ３０１”が表示されている状態で、前記電子下敷“あ”１２ＢからＡＣＫ待ち給電と共に問合せ信号（ＥＮＱ）が送信された際に（ステップＳ１）、前記電子ペーパ“Ｂ”１１Ｂにおいて、給電あり、問合せ信号（ＥＮＱ）の受信あり、ユーザ入力“新規”ありと判断されると（ステップＰ１〜Ｐ３（Ｙｅｓ））、表示中のコンテンツがあると判断されることで（ステップＰ４（Ｙｅｓ））、そのコンテンツＩＤ“３０１”が取得される（ステップＰ１２）。
【０１１２】
すると、ＩＤ記憶部２０に記憶されたペーパＩＤ“Ｂ”、前記取得されたコンテンツＩＤ“３０１”、入力データ“新規”を含む応答信号（ＡＣＫ）が通信装置２３から前記電子下敷“あ”１２Ｂへ送信される（ステップＰ１３）。
【０１１３】
そして、前記電子下敷“あ”１２Ｂの制御装置２８において、前記電子ペーパ“Ｂ”１１Ｂからの応答信号（ＡＣＫ）が受信されたと判断されると（ステップＳ２（Ｙｅｓ））、当該応答信号（ＡＣＫ）に含まれるペーパＩＤ“Ｂ”について、予め認証されたペーパＩＤであるか否か判断される（ステップＳ３）。
【０１１４】
ここで、前記電子ペーパ１１Ｂから受信された応答信号（ＡＣＫ）に含まれるペーパＩＤ“Ｂ”について、前回同様に、予め認証されたペーパＩＤであると判断されると（ステップＳ３（Ｙｅｓ））、前記応答信号（ＡＣＫ）に含まれるコンテンツＩＤ“３０１”に基づき、前記電子ペーパ１１Ｂの不揮発性表示装置１７にコンテンツ表示があると判断される（ステップＳ４（Ｙｅｓ））。
【０１１５】
ここで、前記入力データ“新規”に応じた表示の変更と判断されると（ステップＳ６（Ｙｅｓ）→Ｓ７（新規））、前回同様に、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得される（ステップＳ８）。
【０１１６】
この際また、前記取得したコンテンツ表示データのデータ量に応じて、当該コンテンツ表示データを前記電子ペーパ“Ｂ”１１Ｂ側で受信して表示させるのに必要な給電量（給電時間）が設定され、電磁誘導電源供給部３５Ｒを介して同電子ペーパ“Ｂ”１１Ｂに給電される（ステップＳ９）。
【０１１７】
またこれと共に、前記取得したコンテンツ表示データが通信装置３７Ｒを介して前記電子ペーパ“Ｂ”１１Ｂへ送信され、その不揮発性表示装置１７に表示される（ステップＳ１０）。
【０１１８】
前記電子ペーパ“Ｂ”１１Ｂの制御装置１９において、前記電子下敷１２Ｂからの給電が電磁誘導電源部２２になされたと判断されると共に（ステップＰ６（Ｙｅｓ））、前記電子下敷１２Ｂから送信されたコンテンツ表示データが通信装置２３を介して受信されたと判断されると（ステップＰ７（Ｙｅｓ））、当該受信されたコンテンツ表示データは情報記憶装置２１に記憶され不揮発性表示装置１７Ｒに表示される（ステップＰ８）。
【０１１９】
ここで、前記電子下敷１２Ｂにおいて、前記コンテンツ表示データを送信した先の電子ペーパ１１ＢのペーパＩＤが、前記情報記憶装置３０の電子ペーパ管理テーブル（下敷）５４（図８参照）に登録されていると判断されると（ステップＳ１１（Ｙｅｓ））、当該電子ペーパ管理テーブル（下敷）５４に登録済みのペーパＩＤ“Ｂ”のアクティブ（有効）な表面“１”に対応付けられて、登録済みのコンテンツＩＤ“３０１”に加えて、前記ステップＳ８〜Ｓ１０にて新たに表示されたコンテンツ表示データのコンテンツＩＤ（例えば“３０２”）が追加記憶され更新される（ステップＳ３１）。
【０１２０】
さらに、本電子下敷１２ＢのＩＤ記憶部２９から読み出された下敷ＩＤ“あ”、および前記電子ペーパ１１ＢのペーパＩＤ“Ｂ”、同電子ペーパ１１Ｂに表示されたコンテンツ表示データのＩＤ“３０２”とその表示データ“Ｄ３０２”が、外部接続装置３３を介してネットワークＮ上の電子ペーパ管理サーバ５３へ送信され、その電子ペーパ管理テーブル（サーバ）６２（図１０参照）に追加登録されて更新される（ステップＳ３２）。
【０１２１】
前記電子ペーパ管理サーバ５３において、前記電子下敷１２Ｂから送信された下敷ＩＤ“あ”、ペーパＩＤ“Ｂ”、電子ペーパ１１Ｂに表示中のコンテンツＩＤ“３０２”とその表示データ“Ｄ３０２”が受信されると（ステップＭ１（Ｙｅｓ））、電子ペーパ管理部５８ｂの電子ペーパ管理テーブル（サーバ）６２に、前記受信された下敷ＩＤ“あ”、ペーパＩＤ“Ｂ”を対応付けた管理データが既に登録されていると判断される（ステップＭ２（Ｙｅｓ））。
【０１２２】
すると、前記電子下敷ＩＤ“あ”、電子ペーパＩＤ“Ｂ”の組み合わせに対応付けられて既に登録されているコンテンツＩＤと前記受信されたコンテンツＩＤとが異なる場合にコンテンツ表示データの更新と判断され（ステップＭ７（Ｙｅｓ））、同電子下敷ＩＤ“あ”、電子ペーパＩＤ“Ｂ”の組み合わせに対応付けられて、登録済みのコンテンツＩＤとその表示データに加えて、前記受信されたコンテンツＩＤとその表示データが追加更新されて登録される（ステップＭ８）。
【０１２３】
具体的には、図１０に示すように、電子下敷ＩＤ“あ”、電子ペーパＩＤ“Ｂ”のアクティブ（有効）な表面“１”に対応付けられてコンテンツＩＤ“３０１”が登録されており、今回受信されたコンテンツＩＤが異なるＩＤ“３０２”である場合に、登録済みのコンテンツＩＤ“３０１”とその表示データ“Ｄ３０１”に加えて、今回受信されたコンテンツＩＤ“３０２”とその表示データ“Ｄ３０２”が追加更新されて登録される。
【０１２４】
この後、前記同様に、前記電子ペーパ“Ｂ”１１Ｂからのユーザによる入力データ“新規”に応じて、前記電子下敷“あ”１２Ｂを介して繰り返し新たなコンテンツ表示データが取得され表示されることで、当該電子下敷“あ”１２Ｂの電子ペーパ管理テーブル（下敷）５４および前記電子ペーパ管理サーバ５３の電子ペーパ管理テーブル（サーバ）６２それぞれのペーパＩＤ”Ｂ”のアクティブ（有効）な表面“１”に対応付けられて、例えば図８および図１０で示すように、複数のコンテンツＩＤ“３０１”“３０２”“３０３”…とそのコンテンツ表示データ“Ｄ３０１”“Ｄ３０２”“Ｄ３０３”…が順次追加登録される。
【０１２５】
次に、前記同様に、前記電子下敷“あ”１２ＢからのＡＣＫ待ち給電を伴う問合せ信号（ＥＮＱ）の送信に対して（ステップＳ１）、前記電子ペーパ“Ｂ”１１Ｂから、例えばコンテンツＩＤ“３０３”、入力データ“消去”を含む応答信号（ＡＣＫ）の受信があった場合に（ステップＰ１〜Ｐ４（Ｙｅｓ），Ｐ１２，Ｐ１３／ステップＳ２，Ｓ３（Ｙｅｓ））、コンテンツ表示データが表示されていると判断されると（ステップＳ４（Ｙｅｓ））、前記入力データ“消去”に応じた表示の変更と判断される（ステップＳ６（Ｙｅｓ）→Ｓ７（消去））。
【０１２６】
すると、電磁誘導電源供給部３５Ｒを介して前記電子ペーパ“Ｂ”１１Ｂに表示の消去に必要な給電量（給電時間）の給電がなされると共に、消去用のコンテンツ表示データ（例えば、全表示ドット“０”のデータ）が送信される（ステップＳ３０）。
【０１２７】
前記電子ペーパ“Ｂ”１１Ｂの制御装置１９において、前記電子下敷“あ”１２Ｂからの給電が電磁誘導電源部２２になされたと判断されると共に（ステップＰ６（Ｙｅｓ））、前記電子下敷１２Ｂから送信された消去用のコンテンツ表示データが通信装置２３を介して受信されたと判断されると（ステップＰ７（Ｙｅｓ））、当該受信された消去用のコンテンツ表示データが不揮発性表示装置１７Ｒに表示され、全表示ドットの表示が消去される（ステップＰ８）。
【０１２８】
次に、前記同様に、前記電子下敷“あ”１２ＢからのＡＣＫ待ち給電を伴う問合せ信号（ＥＮＱ）の送信に対して（ステップＳ１）、前記電子ペーパ“Ｂ”１１Ｂから、例えばコンテンツＩＤ“なし”、入力データ“新規”を含む応答信号（ＡＣＫ）の受信があった場合に（ステップＰ１〜Ｐ５／ステップＳ２，Ｓ３（Ｙｅｓ））、コンテンツ表示データが表示されていないと判断されると（ステップＳ４（Ｎｏ））、前記電子ペーパ管理テーブル（下敷）５４に前記電子ペーパ１１ＢのペーパＩＤ“Ｂ”が登録済みであると判断される（ステップＳ５（Ｙｅｓ））。
【０１２９】
すると、前記電子ペーパ１１ＢのペーパＩＤ“Ｂ”、ＩＤ記憶部２９から読み出された下敷ＩＤ“あ”が外部接続装置３３を介してネットワークＮ上の電子ペーパ管理サーバ５３へ送信される（ステップＳ１７）。
【０１３０】
前記電子ペーパ管理サーバ５３において、前記電子下敷“あ”１２Ｂから送信されたペーパＩＤ“Ｂ”、下敷ＩＤ“あ”が受信された際に（ステップＭ１（Ｙｅｓ））、当該受信された下敷ＩＤ“あ”、ペーパＩＤ“Ｂ”が、電子ペーパ管理テーブル（サーバ）６２（図１０参照）に登録済みであると判断されると（ステップＭ２（Ｙｅｓ））、前記受信データの中にコンテンツ表示データが含まれていないことで表示データの登録要求ではなく送信要求であると判断される（ステップＭ４（Ｙｅｓ））。
【０１３１】
すると、前記電子ペーパ管理テーブル（サーバ）６２において、前記電子下敷１２Ｂから受信された下敷ＩＤ“あ”、ペーパＩＤ“Ｂ”のアクティブ（有効）な表面“１”に対応付けられて登録されている全てのコンテンツＩＤ“３０１”“３０２”“３０３”…とコンテンツ表示データ“Ｄ３０１”“Ｄ３０２”“Ｄ３０３”…が読み出され（ステップＭ５）、前記電子下敷“あ”１２Ｂへ送信される（ステップＭ６）。
【０１３２】
前記電子下敷“あ”１２Ｂにおいて、前記電子ペーパ管理サーバ５３から送信されたコンテンツＩＤ“３０１”“３０２”“３０３”…とコンテンツ表示データ“Ｄ３０１”“Ｄ３０２”“Ｄ３０３”…が受信されると（ステップＳ１８）、その先頭のコンテンツ表示データ“Ｄ３０１”のデータ量に応じて、当該コンテンツ表示データを前記電子ペーパ“Ｂ”１１Ｂ側で受信して表示させるのに必要な給電量（給電時間）が設定され、電磁誘導電源供給部３５Ｒを介して同電子ペーパ“Ｂ”１１Ｂに給電される（ステップＳ１９）。
【０１３３】
またこれと共に、前記先頭のコンテンツ表示データ“Ｄ３０１”が通信装置３７Ｒを介して前記電子ペーパ“Ｂ”１１Ｂへ送信され、その不揮発性表示装置１７に表示される（ステップＳ２０）。
【０１３４】
前記電子ペーパ“Ｂ”１１Ｂの制御装置１９において、前記電子下敷“あ”１２Ｂからの給電が電磁誘導電源部２２になされたと判断されると共に（ステップＰ６（Ｙｅｓ））、前記電子下敷“あ”１２Ｂから送信されたコンテンツ表示データ“Ｄ３０１”が通信装置２３を介して受信されたと判断されると（ステップＰ７（Ｙｅｓ））、当該受信されたコンテンツ表示データ“Ｄ３０１”は情報記憶装置２１に記憶され不揮発性表示装置１７Ｒに表示される（ステップＰ８）。
【０１３５】
また前記電子下敷“あ”１２Ｂにおいて、前記ステップＳ５の処理に従い電子ペーパ管理テーブル（下敷）５４に登録済みと判断されたペーパＩＤ“Ｂ”と、その電子ペーパ“Ｂ”１１Ｂに送信して表示させたコンテンツ表示データ“Ｄ３０１”のＩＤ“３０１”とに対応付けられた手書きデータ“ＨＤＢ１１”が、同電子ペーパ管理テーブル（下敷）５４に登録されていると判断されると（ステップＳ２１（Ｙｅｓ））、当該手書きデータ“ＨＤＢ１１”のデータ量に応じて、その手書きデータ“ＨＤＢ１１”を前記電子ペーパ“Ｂ”１１Ｂ側で受信して表示させるのに必要な給電量（給電時間）が設定され、電磁誘導電源供給部３５Ｒを介して同電子ペーパ“Ｂ”１１Ｂに給電される（ステップＳ２２）。
【０１３６】
これと共に、前記登録されている手書きデータ“ＨＤＢ１１”とその位置情報“ＰＢ１１”が通信装置３７Ｒを介して前記電子ペーパ“Ｂ”１１Ｂへ送信され、その不揮発性表示装置１７Ｒに表示中のコンテンツ表示データ“Ｄ３０１”上に重畳されて表示される（ステップＳ２３）。
【０１３７】
前記電子ペーパ“Ｂ”１１Ｂの制御装置１９において、前記電子下敷１２Ｂからの給電が電磁誘導電源部２２になされたと判断されると共に（ステップＰ９（Ｙｅｓ））、前記電子下敷１２Ｂから送信された手書きデータ“ＨＤＢ１１”が通信装置２３を介して受信されたと判断されると（ステップＰ１０（Ｙｅｓ））、当該受信された手書きデータ“ＨＤＢ１１”はその位置情報“ＰＢ１１”に従い前記不揮発性表示装置１７Ｒに表示中のコンテンツ表示データ“Ｄ３０１”上に重畳されて表示される（ステップＰ１１）。
【０１３８】
この後、前記電子ペーパ“Ｂ”１１Ｂの不揮発性表示装置１７Ｒにコンテンツ表示データ“Ｄ３０１”が表示された状態で、前記電子下敷“あ”１２ＢからＡＣＫ待ち給電と共に問合せ信号（ＥＮＱ）が送信された際に（ステップＳ１）、前記電子ペーパ“Ｂ”１１Ｂにおいて、給電あり、問合せ信号（ＥＮＱ）の受信あり、表示コンテンツを次に送る（又は戻す）ためのユーザ入力“送り”（又は“戻り”）ありと判断されると（ステップＰ１〜Ｐ３（Ｙｅｓ））、表示中のコンテンツがあると判断されることで（ステップＰ４（Ｙｅｓ））、そのコンテンツＩＤ“３０１”が取得される（ステップＰ１２）。
【０１３９】
すると、ＩＤ記憶部２０に記憶されたペーパＩＤ“Ｂ”、前記取得されたコンテンツＩＤ“３０１”、入力データ“送り”（又は“戻り”）を含む応答信号（ＡＣＫ）が通信装置２３から前記電子下敷“あ”１２Ｂへ送信される（ステップＰ１３）。
【０１４０】
そして、前記電子下敷“あ”１２Ｂの制御装置２８において、前記電子ペーパ“Ｂ”１１Ｂからの応答信号（ＡＣＫ）が受信されたと判断されると（ステップＳ２（Ｙｅｓ））、当該応答信号（ＡＣＫ）に含まれるペーパＩＤ“Ｂ”について、予め認証されたペーパＩＤであると判断され（ステップＳ３（Ｙｅｓ））、また同応答信号（ＡＣＫ）に含まれるコンテンツＩＤ“３０１”に基づき、前記電子ペーパ“Ｂ”１１Ｂの不揮発性表示装置１７にコンテンツ表示があると判断される（ステップＳ４（Ｙｅｓ））。
【０１４１】
ここで、前記入力データ“送り”（又は“戻り”）に応じた表示の変更と判断されると（ステップＳ６（Ｙｅｓ）→Ｓ７（送り／戻り））、外部接続装置３３を介してネットワークＮ上の電子ペーパ管理サーバ５３から前記電子ペーパ“Ｂ”１１Ｂに表示中のコンテンツ表示データ“Ｄ３０１”の次（又は手前）のコンテンツ表示データが受信済みであるか否か判断される（ステップＳ２４）。
【０１４２】
ここでは、前記ステップＳ１８において、電子ペーパ管理サーバ５３から前記電子ペーパ“Ｂ”１１Ｂに表示中のコンテンツ表示データ“Ｄ３０１”の次のコンテンツ表示データ“Ｄ３０２”が受信済みであると判断され（ステップＳ２４（Ｙｅｓ））、当該次のコンテンツ表示データ“Ｄ３０２”のデータ量に応じて、そのコンテンツ表示データ“Ｄ３０２”を前記電子ペーパ“Ｂ”１１Ｂ側で受信して表示させるのに必要な給電量（給電時間）が設定され、電磁誘導電源供給部３５Ｒを介して同電子ペーパ“Ｂ”１１Ｂに給電される（ステップＳ２５）。
【０１４３】
またこれと共に、前記次のコンテンツ表示データ“Ｄ３０２”が通信装置３７Ｒを介して前記電子ペーパ“Ｂ”１１Ｂへ送信され、その不揮発性表示装置１７に表示される（ステップＳ２６）。
【０１４４】
前記電子ペーパ“Ｂ”１１Ｂの制御装置１９において、前記電子下敷“あ”１２Ｂからの給電が電磁誘導電源部２２になされたと判断されると共に（ステップＰ６（Ｙｅｓ））、前記電子下敷“あ”１２Ｂから送信された次のコンテンツ表示データ“Ｄ３０２”が通信装置２３を介して受信されたと判断されると（ステップＰ７（Ｙｅｓ））、当該受信されたコンテンツ表示データ“Ｄ３０２”は情報記憶装置２１に記憶され不揮発性表示装置１７Ｒに表示される（ステップＰ８）。
【０１４５】
また前記電子下敷“あ”１２Ｂにおいて、前記電子ペーパ“Ｂ”１１Ｂに送信して表示させたコンテンツ表示データ“Ｄ３０２”のＩＤ“３０２”に対応付けられて、前記電子ペーパ管理テーブル（下敷）５４に手書きデータ“ＨＤＢ１２”が登録されていると判断されると（ステップＳ２７（Ｙｅｓ））、当該手書きデータ“ＨＤＢ１２”のデータ量に応じて、その手書きデータ“ＨＤＢ１２”を前記電子ペーパ“Ｂ”１１Ｂ側で受信して表示させるのに必要な給電量（給電時間）が設定され、電磁誘導電源供給部３５Ｒを介して同電子ペーパ“Ｂ”１１Ｂに給電される（ステップＳ２８）。
【０１４６】
これと共に、前記登録されている手書きデータ“ＨＤＢ１２”とその位置情報“ＰＢ１２”が通信装置３７Ｒを介して前記電子ペーパ“Ｂ”１１Ｂへ送信され、その不揮発性表示装置１７Ｒに表示中のコンテンツ表示データ“Ｄ３０２”上に重畳されて表示される（ステップＳ２９）。
【０１４７】
前記電子ペーパ“Ｂ”１１Ｂの制御装置１９において、前記電子下敷１２Ｂからの給電が電磁誘導電源部２２になされたと判断されると共に（ステップＰ９（Ｙｅｓ））、前記電子下敷１２Ｂから送信された手書きデータ“ＨＤＢ１２”が通信装置２３を介して受信されたと判断されると（ステップＰ１０（Ｙｅｓ））、当該受信された手書きデータ“ＨＤＢ１２”はその位置情報“ＰＢ１２”に従い前記不揮発性表示装置１７Ｒに表示中のコンテンツ表示データ“Ｄ３０２”上に重畳されて表示される（ステップＰ１１）。
【０１４８】
一方、前記電子下敷１２ＢからのＡＣＫ待ち給電を伴う問合せ信号（ＥＮＱ）の送信に対して（ステップＳ１）、予め認証されていないペーパＩＤ“Ｄ”を含む電子ペーパ“Ｄ”１１Ｂから応答信号（ＡＣＫ）の受信があった場合（ステップＰ１〜Ｐ５／ステップＳ２、Ｓ３（Ｎｏ））、当該電子ペーパ“Ｄ”１１Ｂへの給電処理やコンテンツ表示データの取得、送信処理を含む一切の電子下敷処理は実行されない。
【０１４９】
このため、認証済みでない、つまり電子下敷１２Ｂ（１２Ａ）のユーザに許可されていない、例えば他人の電子ペーパ１１Ｂ（１１Ａ）が当該電子下敷１２Ｂ（１２Ａ）に載せられていても、その他人の電子ペーパ１１Ｂ（１１Ａ）でのユーザ入力に応じた給電が為されることは一切ない。
【０１５０】
なお、前記実施形態では、電子下敷１１Ｂ（１１Ａ）に載せられた複数枚の電子ペーパ１１Ｂ（１１Ａ）…のうち、電子ペーパ“Ｂ”１１Ｂに対するユーザ入力に応じた電子下敷処理、電子ペーパ処理を主体として説明したが、別の電子ペーパ１１Ｂ（１１Ａ）…に対するユーザ入力に応じた電子下敷処理、電子ペーパ処理であっても、当該電子ペーパ１１Ｂ（１１Ａ）が電子下敷１１Ｂ（１１Ａ）に予め認証されている場合にだけ、前記同様の給電処理やコンテンツ表示データの取得、送信処理が実行されるのは言うまでもない。
【０１５１】
したがって、前記構成の給電処理機能を有する電子ペーパ記録装置１０Ａ，１０Ｂによれば、電子下敷１２Ａ，１２Ｂから所定周期でＡＣＫ待ちの無線給電と共に問合せ信号（ＥＮＱ）が送信された際に、当該無線給電および問合せ信号（ＥＮＱ）の受信された電子ペーパ１１Ａ，１１Ｂにおいて、表示更新を要求するユーザ入力に応じて、そのペーパＩＤ、入力要求を含む応答信号（ＡＣＫ）が生成されて前記電子下敷１２Ａ，１２Ｂへ送信されると、当該電子下敷１２Ａ，１２Ｂでは、受信された応答信号（ＡＣＫ）に含まれるペーパＩＤが認証済みのペーパＩＤであるか否か判断される。そして、認証済みペーパＩＤであると判断されると、前記入力要求に応じた表示データが取得され、この表示データを前記電子ペーパ１１Ａ，１１Ｂの側で受信して表示させるのに必要な給電量（給電時間）が設定され、設定された給電量（給電時間）の無線給電と共に前記取得された表示データが前記電子ペーパ１１Ａ，１１Ｂへ送信され、その不揮発性表示装置１７（１７Ｒ，１７Ｌ）に表示される。
【０１５２】
このため、認証されない電子ペーパ１１Ａ，１１Ｂからの応答信号（ＡＣＫ）に対応して不要な無線給電や表示データの取得が行われることは無く、給電対象となる電子ペーパ１１Ａ，１１Ｂにその被表示データに応じた適切な給電量で無線給電することが可能になる。
【０１５３】
また、前記構成の給電処理機能を有する電子ペーパ記録装置１０Ａ，１０Ｂによれば、前記電子下敷１２Ａ，１２Ｂから認証された電子ペーパ１１Ａ，１１Ｂへの表示データの送信に伴う給電量（給電時間）は、当該表示データのデータ量に応じて設定されるので、給電対象となる特定の電子ペーパ１１Ａ，１１Ｂに、より適切な給電量で無線給電することが可能になる。
【０１５４】
さらに、前記電子下敷１２Ａ，１２Ｂのタブレット１４（１４Ｒ，１４Ｌ）上に載せられた認証済みの電子ペーパ１１Ａ，１１Ｂにおいて、電子ペン１５による手書き入力を行うと、当該手書きの軌跡の座標からなる手書きデータが前記タブレット１４（１４Ｒ，１４Ｌ）により検出される。すると、前記手書きデータを前記電子ペーパ１１Ａ，１１Ｂの側で受信して表示させるのに必要な給電量（給電時間）が設定され、設定された給電量（給電時間）の無線給電と共に前記手書きデータが前記電子ペーパ１１Ａ，１１Ｂへ送信され、その不揮発性表示装置１７（１７Ｒ，１７Ｌ）に表示される。
【０１５５】
なお、前記実施形態では、認証された電子ペーパ１１Ａ，１１Ｂでの表示更新要求のユーザ入力に応じて電子下敷１２Ａ，１２Ｂにて取得された表示データは、そのまま表示のための無線給電と共に前記電子ペーパ１１Ａ，１１Ｂへ送信して表示させる構成としたが、前記電子下敷１２Ａ，１２Ｂから前記表示更新要求のあった電子ペーパ１１Ａ，１１Ｂへ送信する表示データは、例えばその認証されたペーパＩＤをキーとして暗号化して送信し、当該暗号化された表示データを受信した電子ペーパ１１Ａ，１１ＢにてそのペーパＩＤをキーとして復号化し表示させる構成としてもよい。これによれば、前記表示更新要求のあった電子ペーパ１１Ａ，１１Ｂ以外の電子ペーパ１１Ａ，１１Ｂにおいて、前記表示データがそのまま表示され利用されてしまう不具合を防止できる。
【０１５６】
また、前記第１実施形態の給電処理機能を有する電子ペーパ記録装置１０Ａ，１０Ｂでは、電子ペーパ１１Ａ，１１Ｂの動作に必要な電力を、電子下敷１２Ａ，１２Ｂから、その都度その動作に必要な適切な給電量を設定して給電する構成としたが、次の第２実施形態で説明するように、電子ペーパ１１Ａ，１１Ｂの電磁誘導電源部２２に小容量の蓄電機能を持たせることで、前記電子下敷１２Ａ，１２Ｂから前記電子ペーパ１１Ａ，１１Ｂに対しての、ＡＣＫ待ち給電を伴う問合せ信号（ＥＮＱ）の送信処理を省略する構成としてもよい。
【０１５７】
（第２実施形態）
図１６は、前記電子ペーパ記録装置１０Ａの電子下敷１２Ａにおける各電子ペーパ１１Ａ…との間での第２実施形態の時分割給電に伴う表示更新の動作を示すタイミングチャートである。
【０１５８】
この第２実施形態において、各電子ペーパ１１Ａ…は、例えばその電磁誘導電源部２２に小容量の蓄電機能を有している。
【０１５９】
このため、各電子ペーパ１１Ａ…は、その入力装置２４からのユーザ入力を常時受け付けることができ、同ユーザ入力（表示更新要求）があった場合に、その入力要求を含む問合せ信号（ＥＮＱ）を前記電子下敷１２Ａへ送信する。そして、前記電子下敷１２Ａにおいて前記表示更新要求のあった電子ペーパ１１Ａからの問合せ信号（ＥＮＱ）が受信されると、当該問合せ信号（ＥＮＱ）に予め認証（登録）されたペーパＩＤ（例えば“Ａ”“Ｂ”“Ｃ”）が含まれる電子ペーパ１１Ａに対してだけ、前記表示更新要求に応じたコンテンツ表示データが取得され、このコンテンツ表示データの送信と共に同コンテンツ表示データを受信して表示させるのに必要な電力量の給電が行われる。
【０１６０】
ここで、前記コンテンツ表示データを電子ペーパ１１Ａにて受信して表示させるのに必要な電力量は、前記第１実施形態と同様に、当該表示データのデータ量に応じた給電量（給電時間）として設定される。
【０１６１】
そして、前記電子下敷１２Ａにおいて、予め認証（登録）されていない電子ペーパ１１ＡからのペーパＩＤ（例えば“Ｄ”）を含む問合せ信号（ＥＮＱ）が受信された場合は、当該電子ペーパ“Ｄ”１１Ａへの給電は行われない。
【０１６２】
すなわち、この第２実施形態の電子ペーパ記録装置１０Ａ（１０Ｂ）は、ユーザ入力に応じた問合せ信号（ＥＮＱ）が送信された認証（登録）済みの電子ペーパ１１Ａ（１１Ｂ）…に対して、電子下敷１２Ａ（１２Ｂ）から、当該ユーザ入力に応じたコンテンツ表示データの取得送信と共に、その表示データ量に応じた給電量（給電時間）の時分割給電を行う機能を有する。
【０１６３】
なお、この第２実施形態の電子ペーパ記録装置１０Ａ，１０Ｂであっても、前記所定周期よりも大幅に長い一定の周期で、前記第１実施形態と同様に、前記電子下敷１２Ａ，１２Ｂから各電子ペーパ１１Ａ…，１１Ｂ…に対してのＡＣＫ待ち給電を伴う問合せ信号（ＥＮＱ）の送信を実施することで、当該各電子ペーパ１１Ａ…，１１Ｂ…の蓄電電力が無くなった場合に、それ以降の動作が不能になる不具合を未然に防止できる。
【０１６４】
また、前記第２実施形態の電子ペーパ記録装置１０Ａ，１０Ｂでは、各電子ペーパ１１Ａ…（１１Ｂ…）に小容量の蓄電機能を持たせることで、電子下敷１２Ａ，１２Ｂから前記電子ペーパ１１Ａ，１１Ｂに対してのＡＣＫ待ち給電を伴う問合せ信号（ＥＮＱ）の送信を省略する構成した。これに対し、前記電子下敷１２Ａ，１２Ｂから各電子ペーパ１１Ａ…（１１Ｂ…）に対して、常時微弱な給電を実施することで、当該電子ペーパ１１Ａ，１１Ｂに小容量の蓄電機能を持たせることなく、前記電子下敷１２Ａ，１２ＢからのＡＣＫ待ち給電を伴う問合せ信号（ＥＮＱ）の送信を省略する構成としてもよい。
【０１６５】
さらに、前記各実施形態の電子ペーパ記録装置１０Ａ，１０Ｂでは、電子下敷１２Ａ，１２Ｂから電子ペーパ１１Ａ，１１Ｂへの無線給電装置として、電磁誘導型の給電装置を使用した場合について説明したが、磁界共鳴型の給電装置を使用した場合でも、前記各実施形態と同様の給電機能を持たせることで、当該各実施形態と同様に適切且つ効率的な無線給電が実現できる。この磁界共鳴型の給電装置を使用した場合、給電元装置である電子下敷からの電子ペーパに対する給電可能な空間範囲が飛躍的に拡大するため、電子ペーパの取扱い自由度が大幅に向上する。
【０１６６】
また、本発明の給電処理装置の各実施形態は、電子ペーパ記録装置１０Ａ，１０Ｂであって、その電子下敷１２Ａ，１２Ｂから電子ペーパ１１Ａ，１１Ｂに無線給電する機能を主体として説明したが、これに限定されるものではなく、不揮発性表示装置（１７）を有する電子機器への無線給電機能に適用することで、前記各実施形態と同様に適切且つ効率的な無線給電が実現できる。
【０１６７】
なお、前記各実施形態では、前記電子下敷１２Ａ，１２Ｂから認証された電子ペーパ１１Ａ，１１Ｂへの表示データの送信に伴う給電量（給電時間）を、当該表示データのデータ量に応じて設定するものとして構成したが、設定された給電量（給電時間）の無線給電が終了する前に前記電子ペーパ１１Ａ，１１Ｂから通信完了の通知信号が受信された場合には、そのときに前記無線給電を終了し、また逆に、設定された給電量（給電時間）の無線給電が終了するまでに前記電子ペーパ１１Ａ，１１Ｂから通信完了の通知信号が受信されない場合には、当該通信完了の通知信号が受信されるまで前記無線給電を延長する構成としてもよい。これによれば、より適切且つ効率的な給電量で無線給電することが可能になる。
【０１６８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１６９】
以下に、本願出願の当初の特許請求の範囲に記載された発明を付記する。
【０１７０】
［１］
外部機器に対して無線給電を行う無線給電部を有する給電処理装置であって、
前記無線給電部からの無線給電が可能な位置にある複数の外部機器のうち、給電を必要とする外部機器を特定する外部機器特定手段と、
この外部機器特定手段により特定された外部機器がその動作に必要とする給電量を設定する給電量設定手段と、
この給電量設定手段により設定された給電量で前記無線給電部に無線給電を行わせる給電制御手段と、
を備えたことを特徴とする給電処理装置。
【０１７１】
［２］
前記外部機器特定手段は、
所定周期で下り問合せ信号を送信する下り問合せ信号送信手段と、
この下り問合せ信号送信手段により下り問合せ信号を送信した後に、前記外部機器により送信された上り応答信号を受信する上り応答信号受信手段とを有し、
この上り応答信号受信手段により上り応答信号が受信された際に、当該上り応答信号の送信元の外部機器を、給電を必要とする外部機器として特定する、
ことを特徴とする［１］に記載の給電処理装置。
【０１７２】
［３］
前記外部機器特定手段は、さらに、
前記上り応答信号受信手段により上り応答信号が受信された際に、当該上り応答信号の送信元の外部機器が予め認証された外部機器であるか否かを判断する第１の認証判断手段を有し、
この第１の認証判断手段により予め認証された外部機器であると判断された外部機器を、給電を必要とする外部機器として特定する、
ことを特徴とする［２］に記載の給電処理装置。
【０１７３】
［４］
前記外部機器は、不揮発性表示部と、ユーザ操作に応じて表示の更新を要求するためのキー入力部とを有する電子ペーパであって、
この電子ペーパは、前記下り問合せ信号送信手段により送信された下り問合せ信号を受信する下り問合せ信号受信手段と、この下り問合せ信号受信手段により下り問合せ信号が受信された際、前記キー入力部のユーザ操作に応じて表示の更新が要求された場合に、当該表示の更新の要求内容を含む上り応答信号を送信する上り応答信号送信手段とを有する、
ことを特徴とする［２］または［３］に記載の給電処理装置。
【０１７４】
［５］
前記給電量設定手段は、
前記外部機器特定手段により特定された外部機器が当該給電処理装置との間でのデータ通信動作に必要とする給電量を設定する、
ことを特徴とする［１］に記載の給電処理装置。
【０１７５】
［６］
前記データ通信動作に必要とする給電量は、当該データ通信の対象となるデータの量に応じて設定する、
ことを特徴とする［５］に記載の給電処理装置。
【０１７６】
［７］
前記外部機器は、不揮発性表示部を有する電子ペーパであって、
当該給電処理装置は、さらに、前記外部機器特定手段により特定された電子ペーパに対して表示データを送信する表示データ送信手段を備え、
前記データ通信動作に必要とする給電量は、前記表示データ送信手段による前記電子ペーパに対しての送信の対象となる表示データの量に応じて設定する、
ことを特徴とする［６］に記載の給電処理装置。
【０１７７】
［８］
前記表示データ送信手段は、
前記外部機器特定手段により特定された電子ペーパに対して表示データを当該電子ペーパの側で復号化可能に暗号化して送信する、
ことを特徴とする［７］に記載の給電処理装置。
【０１７８】
［９］
前記電子ペーパが載せられる下敷構造部を有し、この下敷構造部に載せられた電子ペーパ上でのユーザ操作に応じた手書き位置を検出する手書き位置検出手段を備え、
前記表示データ送信手段は、
前記手書き位置検出手段により検出された前記電子ペーパ上での手書き位置の軌跡に応じた手書きデータを前記外部機器特定手段により特定された電子ペーパに対して送信する手書きデータ送信手段を有する、
ことを特徴とする［７］に記載の給電処理装置。
【０１７９】
［１０］
前記外部機器特定手段は、
前記外部機器により送信された上り問合せ信号を受信する上り問合せ信号受信手段と、
この上り問合せ信号受信手段により上り問合せ信号が受信された際に、当該上り問合せ信号の送信元の外部機器が予め認証された外部機器であるか否かを判断する第２の認証判断手段とを有し、
この第２の認証判断手段により予め認証された外部機器であると判断された外部機器を、給電を必要とする外部機器として特定する、
ことを特徴とする［１］に記載の給電処理装置。
【０１８０】
［１１］
前記給電制御手段は、
前記外部機器特定手段により前記無線給電部からの無線給電が可能な位置にある複数の外部機器のうち、給電を必要とする外部機器が特定されない場合に、予め設定された給電量で前記無線給電部に無線給電を行わせる第１の給電制御手段と、
前記外部機器特定手段により前記無線給電部からの無線給電が可能な位置にある複数の外部機器のうち、給電を必要とする外部機器が特定された場合に、前記給電量設定手段により設定された給電量で前記無線給電部に無線給電を行わせる第２の給電制御手段と、
を有することを特徴とする［１］または［１０］に記載の給電処理装置。
【０１８１】
［１２］
前記給電量設定手段は、前記外部機器特定手段により特定された外部機器の動作の内容に応じてその動作に必要とする給電量を設定する、
ことを特徴とする［１］または［１０］に記載の給電処理装置。
【符号の説明】
【０１８２】
１０Ａ…電子ペーパ記録装置（片面タイプ）
１０Ｂ…電子ペーパ記録装置（両面タイプ）
１１Ａ…電子ペーパ（片面タイプ）
１１Ｂ…電子ペーパ（両面タイプ）
１２Ａ…電子下敷（片面タイプ）
１２Ｂ…電子下敷（見開きタイプ）
１３  …片面バインダ部
１４（１４Ｒ，１４Ｌ）…タブレット
１５  …電子ペン
１６  …見開きバインダ部
１７（１７Ｒ，１７Ｌ）…不揮発性表示装置
１９  …電子ペーパ制御装置
２０  …電子ペーパＩＤ記憶部
２１  …電子ペーパ情報記憶装置
２２  …電磁誘導電源部
２３  …電子ペーパ通信装置
２４（２４Ｒ，２４Ｌ）…電子ペーパ入力装置
２８  …電子下敷制御装置
２９  …電子下敷ＩＤ記憶部
３０  …電子下敷情報記憶装置
３１（３１Ｒ，３１Ｌ）…電子下敷通信装置
３３  …外部接続装置
３５（３５Ｒ，３５Ｌ）…電磁誘導電源供給部
３７（３７Ｒ，３７Ｌ）…電子下敷通信装置
３８  …バッテリ（電源）
５３  …電子ペーパ管理サーバ
５３Ｗ…情報提供サーバ
５４  電子ペーパ管理テーブル（下敷）
５６  …サーバ制御装置
５７  …サーバ入力装置
５８  …サーバ記憶装置
５８ａ…情報管理部
５８ｂ…電子ペーパ管理部
５９  …サーバ表示装置
６０  …通信装置
６１  …通信端末装置
６２  …電子ペーパ管理テーブル（サーバ）
【図１】
2015033157.tif 000003
【図２】
2015033157.tif 000004
【図３】
2015033157.tif 000005
【図４】
2015033157.tif 000006
【図５】
2015033157.tif 000007
【図６】
2015033157.tif 000008
【図７】
2015033157.tif 000009
【図８】
2015033157.tif 000010
【図９】
2015033157.tif 000011
【図１０】
2015033157.tif 000012
【図１１】
2015033157.tif 000013
【図１２】
2015033157.tif 000014
【図１３】
2015033157.tif 000015
【図１４】
2015033157.tif 000016
【図１５】
2015033157.tif 000017
【図１６】
2015033157.tif 000018